(57)【要約】【課題】  建物の開閉機構を操作する操作ボタンを内蔵したスイッチボックスにおいて、破壊されにくい扉構造を実現する。【解決手段】  操作ボタン１１を収納できるスペースを確保したケースに蓋をするように外枠１が取り付けられている。扉４は、長手方向の向かい合った２辺が外枠の内面とシースに設けられた内枠６と間の隙間に移動可能に挟まれている。シリンダー錠３を開錠して扉の手掛け４ｂを下げることによって、扉が外枠の下部の通り穴８から下方に抜け出るようにして扉を開けることができる。従来の蝶番によって回動される扉に比べて、バール等で破壊することが困難である。【選択図】  図１
2005068775.tif 000002
【特許請求の範囲】
【請求項１】
建物の開閉機構を操作する操作ボタンを内蔵したスイッチボックスであって、操作ボタンを収納できるスペースを確保したケースと、操作ボタンを隠すために設けられた扉と、該扉の４辺を覆う外枠と、前記扉の少なくとも対向する２辺を前記外枠と若干の隙間を設けて挟み込む内枠と、前記扉を施錠する施錠装置を有することを特徴とするスイッチボックス。
【請求項２】
前記外枠の一辺に前記扉が通る大きさの開口部が設けられていることを特徴とする請求項１に記載のスイッチボックス。
【請求項３】
前記扉が、前記外枠と前記内枠との間に設けられた溝に沿って移動可能であることを特徴とする請求項１または２に記載のスイッチボックス。
【請求項４】
前記扉は、施錠装置を解錠状態にすることで、自重で開放動作を行なうことを特徴とする請求項１ないし３のいずれか１項に記載のスイッチボックス。
【発明の詳細な説明】
【技術分野】
【０００１】
本発明は、建物の開口部を開閉する電動シャッター・電動オーバーヘッドドア等の電動式の開閉機構を操作する操作ボタンを納めたスイッチボックスに関するものである。
【背景技術】
【０００２】
電動シャッター等の電動式の開閉機構の開閉操作に使用されるスイッチは、壁面に取り付けられたスイッチボックスに納められるのが普通である。このスイッチボックスは、特許文献１に示されているように、外枠まで壁内に埋め込まれ、壁内で開閉機構の操作信号の伝送用ケーブルとスイッチが結線され、露出しているのは、主にスイッチボックスの外枠と扉と施錠装置である。扉は、蝶番等のヒンジ機構によって開閉される片扉が普通である。
【０００３】
図６〜図９は、ヒンジ機構で開閉される扉を有する従来のスイッチボックスの一例を説明するためのもので、図６は正面図、図７は図６のＢ方向から見た底面図、図８は内部を示す側断面図、図９は破壊状況の説明図である。図中、１は外枠、２はケース、３はシリンダー錠、３ａは施錠バー、６は内枠、７は取付台、７ａは脚部、１０は固定ネジ、１１は押しボタンスイッチ、１２はスイッチ取付枠、１３は化粧プレート、１４は取付ネジ、１５は配管穴、１７は扉、１８は回転軸、１９はバールである。
【０００４】
このスイッチボックスは、大きくは、外枠１とケース２で構成されている。外枠１には、底部に押しボタンスイッチの下部を挿入することができる長方形状の穴が設けられ、箱状に形成された内枠６が取り付けられている。内枠６には、回転軸１８が取り付けられた扉１７が回動可能に支持されており、扉１７にシリンダー錠３が設けられている。シリンダー錠３の施錠時には、施錠バー３ａが内枠６に形成された溝に挿入されて扉１７がロックされる。
【０００５】
ケース２には、取付台７が脚部７ａによって取り付けられている。取付台７にも、内枠６と同様に、押しボタンスイッチの下部を挿入することができる長方形状の穴が設けられており、固定ネジ１０が螺合するネジ穴が形成されている。
【０００６】
スイッチとしては、例えば、「上昇」「下降」「停止」の３種類の操作を行なうための押しボタンスイッチ１１がスイッチ取付枠１２に取り付けられている。
【０００７】
外枠１とケース２の結合は、ケース２が壁の所定の位置に取り付けられた後、取付台７に、扉１７，内枠６が取り付けられた外枠１を重ねて、内枠６と取付台７に設けられた長方形状の穴にスイッチ取付枠１２に取り付けられた押しボタンスイッチ１１を挿入し、スイッチ取付枠１２を固定ネジ１０で取付台７のネジ穴に固定することによって、内枠６が取付台７とスイッチ取付枠１２に挟まれて、外枠１とケース２が結合される。押しボタンスイッチ１１に対する配線は、配管穴１５を通して壁内より導入された配線を内枠６と取付台７に設けられた長方形状の穴を通して引き出し、押しボタンスイッチ１１に接続する作業をした後に、上述したように、内枠６を挟むようにしてスイッチ取付枠１２を固定ネジ１０で取付台７のネジ穴に固定する。その後、押しボタン部分が露出するように四角穴が設けられた化粧プレート１３を取付ネジ１４で取り付けて、スイッチ取付枠１２を隠すようにする。
【０００８】
扉１７は、扉１７に設けられたシリンダー錠３を解錠した後、扉１７を手前に開くことができ、スイッチボックス内の押しボタンスイッチ１１を操作することができる。
【特許文献１】実公昭４９−２６３４１号公報
【発明の開示】
【発明が解決しようとする課題】
【０００９】
図６〜図９で説明したような従来のスイッチボックスの扉構造では、図９に示すように、外枠１と扉１７の間にバール１９などを差し込んでこじあけ、シリンダー錠３を強制的に解錠、もしくは、扉１７自体を破壊して、操作ボタンを露出させて、電動シャッター等の電動式の開閉機構を開放し、室内のものを盗犯する事件が多発している。このような犯罪が多発してきた背景により、スイッチボックスもより強固で頑強なものが望まれてきているが、大幅なコストアップを招くという問題があり、顧客の要求を実現できていないのが実状である。
【００１０】
そこで、本発明は、スイッチボックスの扉の開閉構造に改良を加え、従来のものと価格的に大差がなく、しかも容易に開けられないような防犯用のスイッチボックスを提供することを目的とするものである。
【課題を解決するための手段】
【００１１】
本発明は、建物の開閉機構を操作する操作ボタンを内蔵したスイッチボックスであって、操作ボタンを収納できるスペースを確保したケースと、操作ボタンを隠すために設けられた扉と、該扉の４辺を覆う外枠と、前記扉の少なくとも対向する２辺を前記外枠と若干の隙間を設けて挟み込む内枠と、前記扉を施錠する施錠装置を有することを特徴とするものである。
【発明の効果】
【００１２】
本発明によれば、扉が容易に破壊されることのないスイッチボックスを実現できるという効果がある。
【発明を実施するための最良の形態】
【００１３】
本発明のスイッチボックスは、扉の４辺が外枠で覆われ、扉の少なくとも対向する２辺を、外枠と内枠の間の隙間に挟み込む構造としたことにより、破壊されにくいスイッチボックスを実現するものである。
【実施例１】
【００１４】
図１〜図５は、本発明のスイッチボックスの一実施例を説明するためのもので、図１は正面図、図２は図１のＢ方向から見た底面図、図３は図１のＣ−Ｃ線断面図（スイッチ関係の図示は省略している。）、図４は内部を示す側断面図、図５は使用状態の説明図である。図中、１は外枠、２はケース、３はシリンダー錠、３ａは施錠バー、４は扉、４ａは係止部材、４ｂは手掛け、５は板バネ、６は内枠、７は取付台、７ａは脚部、８は通り穴、９は板バネ、１０は固定ネジ、１１は押しボタンスイッチ、１２はスイッチ取付枠、１３は化粧プレート、１４は取付ネジ、１５は配管穴である。
【００１５】
このスイッチボックスは、大きくは、外枠１とケース２で構成されている。先ず、外枠１について説明する。外枠１には、シリンダー錠３，扉４，板バネ５，内枠６が取り付けられ、内枠６は、底部に押しボタンスイッチの下部を挿入することができる長方形状の穴が設けられた箱状に形成されている。箱状の開口の周縁は、外側に曲げられて、扉４を一方向、この実施例では、下方に移動できるような間隙の溝をもって、扉４を外枠１の内面と内枠６の周縁との間に挟むように、外枠６に固定されている。扉４は、扉の４辺を外枠１に覆われており、上述したように、扉４の少なくとも２辺は、外枠１と内枠６との間の溝に挟まれているため、バール等を使用して扉を破損させることが非常に困難な構造となっている。なお、この実施例では、扉４の２辺のみが外枠１と内枠６に挟まれている構造であるが、扉４が閉鎖された状態において、扉４の４辺を外枠１と内枠６で挟んだ構造としてもよく、その場合は、少なくとも外枠１と内枠６で挟み込んだ１辺は、扉４が通過できる隙間に挟まれた構造となる。したがって、扉４は、外枠１と内枠６の間に設けられた溝に沿って、移動可能に取り付けられ、閉鎖時は、外枠１に設けられたシリンダー錠３をキーで施錠位置にすることで扉４の閉鎖が保持される構造となっている。
【００１６】
また、扉４の下方は、開口部として通り穴８が外枠１に設けられており、内枠６に設けられた板バネ５で扉４が軽く抑えられている。扉４の開放時に、外枠１に設けられた通り穴８から扉４がガイドされて、スイッチボックスの下方に移動する。板バネ５は、扉４を確実にガイドするために設けられたものであり、特に板バネに限定されるものではなく、適宜のバネ部材を用いることができる。もちろん、バネ部材を設けなくてもよい。
【００１７】
施錠装置の一例として設けられたシリンダ錠３は、外枠１に設けられ、施錠時には、扉４の裏面に設けられた係止部材４ａを施錠バー３ａが係止し、解錠時には、施錠バー４ａが解錠位置となり、開錠状態では、板バネ９によって施錠バー４ａが開錠位置に保持される。
【００１８】
次に、ケース２について説明する。ケース２には、取付台７が取り付けられている。取付台７は、スイッチとともに、外枠１を取り付けるための台であり、取付台７は、ケース２の適宜の位置に、適宜の構造の脚部７ａで取り付けられる。取付台７には、内枠６と同様に、押しボタンスイッチの下部を挿入することができる長方形状の穴が設けられており、固定ネジ１０が螺合するネジ穴が形成されている。
【００１９】
スイッチとしては、例えば、「上昇」「下降」「停止」の３種類の操作を行なうための押しボタンスイッチ１１がスイッチ取付枠１２に取り付けられている。
【００２０】
外枠１とケース２の結合は、ケース２が壁の所定の位置に取り付けられた後、取付台７に、シリンダー錠３，扉４，板バネ５，内枠６が取り付けられた外枠１を重ねて、内枠６と取付台７に設けられた長方形状の穴にスイッチ取付枠１２に取り付けられた押しボタンスイッチ１１を挿入し、スイッチ取付枠１２を固定ネジ１０で取付台７のネジ穴に固定することによって、内枠６が取付台７とスイッチ取付枠１２に挟まれて、外枠１とケース２が結合される。押しボタンスイッチ１１に対する配線は、配管穴１５を通して壁内より導入された配線を内枠６と取付台７に設けられた長方形状の穴を通して引き出し、押しボタンスイッチ１１に接続する作業をした後に、上述したように、内枠６を挟むようにしてスイッチ取付枠１２を固定ネジ１０で取付台７のネジ穴に固定する。その後、押しボタン部分が露出するように四角穴が設けられた化粧プレート１３を取付ネジ１４で取り付けて、スイッチ取付枠１２を隠すようにする。
【００２１】
なお、この実施例では、扉４を上下に開放する構造としたが、左右に開閉する構造としてもよい。また、シリンダー錠３は、扉側に設けてもよいが、シリンダー錠３が押しボタンスイッチ１１に干渉しいように、ケースを深くする等の考慮が必要となる。
【００２２】
シリンダー錠は、従来型の汎用性のあるシリンダー錠を用いることができるが、耐ピッキング性能、耐ドリリング性能を向上させたシリンダー錠を用いることで、スイッチボックス全体の防犯性能を向上させることができる。
【００２３】
このスイッチボックスの使用は、開閉装置が閉鎖されたときに扉４が閉鎖され、キーでシリンダー錠３は施錠されている。この状態では、上述したように、扉４をバール等を使用して扉を破損させることが困難である。開閉装置を操作するには、キーでシリンダー錠３を開錠状態にし、手掛け４ｂを指先で下げることによって、押しボタンスイッチ１１が露出され、所望の操作を行なうことができる。
【００２４】
なお、扉４を上下に開放する構造として、外枠１の下方に開口部が設けられた構造とし、板バネ５のバネ力を適当にし、あるいは、板バネ５を設けないようにして、扉４の自重で扉４が開くようにしておくことによって、シリンダー錠３を開錠状態とするだけで、扉４を開放させることができる。
【図面の簡単な説明】
【００２５】
【図１】本発明のスイッチボックスの一実施例の正面図である。
【図２】図１のＢ方向から見た底面図である。
【図３】図１のＣ−Ｃ線断面図である。
【図４】図１のスイッチボックスの内部を示す側断面図である。
【図５】図１のスイッチボックスの使用状態の説明図である。
【図６】従来のスイッチボックスの一例の正面図である。
【図７】図６のＢ方向から見た底面図である。
【図８】図６のスイッチボックスの内部を示す側断面図である。
【図９】図６のスイッチボックスの破壊状況の説明図である。
【符号の説明】
【００２６】
１…外枠、２…ケース、３…シリンダー錠、３ａ…施錠バー、４…扉、４ａ…係止部材、４ｂ…手掛け、５…板バネ、６…内枠、７…取付台、７ａ…脚部、８…通り穴、９…板バネ、１０…固定ネジ、１１…押しボタンスイッチ、１２…スイッチ取付枠、１３…化粧プレート、１４…取付ネジ、１５…配管穴。
【図１】
2005068775.tif 000003
【図２】
2005068775.tif 000004
【図３】
2005068775.tif 000005
【図４】
2005068775.tif 000006
【図５】
2005068775.tif 000007
【図６】
2005068775.tif 000008
【図７】
2005068775.tif 000009
【図８】
2005068775.tif 000010
【図９】
2005068775.tif 000011